(57)【要約】  【課題】用箋類をある程度機密状態下に保管することのできる用箋ボックスを提供する。  【解決手段】ボックス本体１に蓋体２を取り付けた際に抜け止め部Ｚを形成して蓋体２の開成を禁止し、この状態で一部に設けたスリット２３を介してのみ収納部Ｓへの用箋類Ｙの投入を可能にするとともに、前記抜け止め部Ｚに関連づけて設けた解除部たる凸部１４に解除操作力を加えつつ蓋体２を引き抜く操作を行うことによって始めて、蓋体２を開成させ得るようにした。  【選択図】図５
2008120593.tif 000002
【特許請求の範囲】
【請求項１】
ボックス本体に蓋体を着脱することによって収納部を開閉するものであって、
ボックス本体に蓋体を取り付けた際に抜け止め部を形成して蓋体の開成を禁止し、この状態で一部に設けたスリットを介してのみ収納部への用箋類の投入を可能にするとともに、前記抜け止め部に関連づけて設けた解除部に解除操作力を加えつつ蓋体を引き抜く操作を行うことによって始めて、蓋体を開成させ得るように構成したことを特徴とする用箋ボックス。
【請求項２】
一端に開口を有するボックス本体と、前記開口に着脱される蓋体とを備え、その蓋体にスリットを形成するとともに、抜け止め部を蓋体とボックス本体との間の弾性的な係り合いによって構成している請求項１記載の用箋ボックス。
【請求項３】
ボックス本体の一部に、机の袖やワゴン等の取付場所への取付面を設定し、その取付面に解除部を設けている請求項２記載の用箋ボックス。
【請求項４】
ボックス本体が、立面を取付場所とした偏平な縦長箱状のものであり、ボックス本体の上端にスリットを有する蓋体を設けている請求項３記載の用箋ボックス。
【請求項５】
取付面にマグネットを設けている請求項３又は４記載の用箋ボックス。
【請求項６】
解除部が、指先よりも細い部材で押し込むことによって始めて解除可能な構造をなす請求項１〜５記載の用箋ボックス。
【請求項７】
収納部の底に斜面を形成し、導入した用箋類が斜面に沿うように誘導するようにしている請求項１〜６記載の用箋ボックス。
【請求項８】
スリットに、斜面と同じ方向に傾斜するガイド面を設けている請求項７記載の用箋ボックス。
【請求項９】
スリットが、内側に向かって漸次幅狭となるテーパ形状をなしている請求項８記載の用箋ボックス。
【発明の詳細な説明】
【技術分野】
【０００１】
本発明は、用箋類のゴミ箱などとして利用可能な用箋ボックスに関するものである。
【背景技術】
【０００２】
この種のゴミ箱は、一般に、非特許文献１に示すように収納部を有する本体の上端がそのまま開口しているか、或いはその開口に蓋体が開閉可能に装着されて、用箋類を簡単に投入できるようになっており、このような構造はオフィス等で用いられるものと家庭用のものとで大差はない。
【非特許文献１】コクヨ株式会社カタログ「ＫＯＫＵＹＯ  ２００６  ファニチャー編」，ｐ７４７
【発明の開示】
【発明が解決しようとする課題】
【０００３】
ところが、かかる従来の構造であると、ゴミ箱の内容物が一見して視認され、ゴミ箱から用箋類を瞬時に抜き取って持ち出すことも極めて容易であるため、オフィス等で用いる場合に、機密書類等が廃棄してあると部外者に漏洩する可能性が高い。このため、機密書類等の用箋類は安易にゴミ箱に投入するのは危険であり、さりとて逐一シュレッダーで裁断するとなると、執務や作業効率の大幅な低下につながる。
【０００４】
本発明は、このような課題に着目してなされたものであって、用箋類をある程度機密状態下に保管し、事後的にまとめてシュレッダーで処理する等の措置がとれるようにした、便利な用箋ボックスを新たに提供することを目的としている。
【課題を解決するための手段】
【０００５】
本発明は、かかる目的を達成するために、次のような手段を講じたものである。
【０００６】
すなわち、本発明の用箋ボックスは、ボックス本体に蓋体を着脱することによって収納部を開閉するものであって、ボックス本体に蓋体を取り付けた際に抜け止め部を形成して蓋体の開成を禁止し、この状態で一部に設けたスリットを介してのみ収納部への用箋類の投入を可能にするとともに、前記抜け止め部に関連づけて設けた解除部に解除操作力を加えつつ蓋体を引き抜く操作を行うことによって始めて、蓋体を開成させ得るように構成したことを特徴とする。
【０００７】
このように構成すると、蓋体を取り付けた状態では投入口はスリットによる幅狭な開口のみとなるので、スリットからは内容物が殆ど視認されなくなる上に手指を挿入することも困難となり、蓋体を開けるにしても解除操作を並行して行わなければならない。このため、内容物が一見して理解されたり、瞬時に内容物が抜き取られること等を防止でき、そのために錠形式のように構造や操作が複雑となることも有効に回避することができる。
【０００８】
簡素な構成としては、一端に開口を有するボックス本体と、前記開口に着脱される蓋体とを備え、その蓋体にスリットを形成するとともに、抜け止め部を蓋体とボックス本体との間の弾性的な係り合いによって実現するようにしておくことが好ましい。
【０００９】
瞬時に内容物が抜き取られることをより有効に防止するためには、ボックス本体の一部に、机の袖やワゴン等の取付場所への取付面を設定し、その取付面に解除部を設けておくことが望ましい。
【００１０】
好ましいボックス本体の形態としては、当該ボックス本体が、立面を取付場所とした偏平な縦長箱状のものであり、ボックス本体の上端にスリットを有する蓋体を設けていることが好適である。
【００１１】
特に取付場所への安定的な取り付けや廃棄時の取り外しに便ならしめるためには、取付面にマグネットを設けておくことが望ましい。
【００１２】
セキュリティを一層高めるためには、解除部が、指先よりも細い部材で押し込むことによって始めて解除可能な構造をなしていることが好ましい。
【００１３】
収納部を効率良く活用するためには、収納部の底に斜面を形成し、導入した用箋類が斜面に沿うように誘導するようにしているものが効果的である。
【００１４】
この場合、斜面の誘導機能を実効あらしめるためには、スリットを斜面の高位置側に変位させて設ける態様や、スリットに、斜面と同じ方向に傾斜するガイド面を設ける態様を併用することが望ましい。
【００１５】
以上のようなスリットを設けるにも拘わらず、用箋類が入れ易く、しかも所期の効果を奏するためには、スリットが、内側に向かって漸次幅狭となるテーパ形状をなしていることが好都合である。
【発明の効果】
【００１６】
本発明は、以上説明した構成であるから、スリットを通して用箋類を簡単に投入できる反面、蓋体は適度な手間を掛けないと取り外せないようにして、内容物が簡単に視認され、或いは持ち出されることを有効に防止することができる。このため、用箋類をある程度機密状態下に保管し、事後的にまとめてシュレッダーで処理する等の措置がとれ、執務や作業効率の向上に寄与することができる。
【発明を実施するための最良の形態】
【００１７】
以下、本発明の一実施形態を、図面を参照して説明する。
【００１８】
この実施形態の用箋ボックスＢは、図１及び図２に示すように、用箋類Ｙを収納すべく、ボックス本体１と蓋体２とから構成される。
【００１９】
ボックス本体１は、半割の状態で成形した一対の箱構成体１１、１２を突き合わせて周壁１ａとするとともに、その周壁１ａの底部に底壁１ｂを嵌め合わせて全体を不離一体にした偏平な縦長箱状のもので、上端に開口Ａを形成している。その際、一方の箱構成体１１の面板部１１ａを図６に示す机の袖やワゴン等の取付場所Ｈ（立面）に対する取付面として設定し、その面板部１１ａにおける上縁近傍に、３辺に囲まれた凹所１２を上方に開放させて設けている。また、この凹所１２内に、一部に設けた切り込み１３ａによって厚み方向に変形可能な弾性片１３を形成し、その弾性片１３に前方に突出する凸部１４を設けている。その面板部１１ａの中央には、板状の部材を嵌め込むための矩形凹部１５が設けられている。また、他方の箱構成体１２の面板部１２ａにおける上縁近傍には、２箇所に爪挿入部１２ｂが凹状に形成され、図３に示すように底壁１ｂには、一方の箱構成体１１の面板部１１ａから他方の箱構成体１２の面板部１２ａに向かって漸次高くなる方向に傾斜する斜面１６が形成してある。
【００２０】
これに対して、図１及び図２に示す蓋体２は、前記ボックス本体１の開口Ａに着脱されるもので、上壁２１から垂下させて、図４に示すように前記ボックス本体１の爪挿入部１２ｂに係り合い可能な爪部２１と、図２及び図５に示すように前記凹所１２に挿入可能な舌片２２とを設けている。この舌片２２には、前記弾性片１３の凸部１４を受容し得る貫通孔２２ａが形成してある。
【００２１】
また、蓋体２には、図１及び図４等に示すように、用箋類Ｙを投入するスリット２３が設けてある。このスリット２３は、蓋体２の長手方向ほぼ全域に亘るもので、蓋体２の幅方向センター位置から当該蓋体２の長手方向と直交する方向に沿って収納部Ｓの底に設けた斜面１６の高位置側（図４における矢印Ｘ側）に変位させてある。スリット２３は、外側の開口縁に斜面と同じ方向に傾斜させて設けたガイド面２３ａと、中央よりの開口縁にほぼ鉛直に設けた壁面２３ｂとの間に、ボックス本体１の収納部Ｓに向かって漸次幅狭となるテーパ形状をなしている。
【００２２】
そして、ボックス本体１に蓋体２を嵌め合わせて収納部Ｓを閉止する操作に伴い、爪２１を図４の爪挿入部１２ｂに挿入するとともに、図５（ａ）→（ｂ）のように弾性片１３の一時的な変形を通じて舌片２２の貫通孔２２ａを弾性片１３の凸部１４に係り合わせ、これら貫通孔２２ａと凸部１４との間に蓋体２の開成を禁止する抜け止め部Ｚを形成するようにしている。この状態で、凸部１４は抜け止め部Ｚを解除する解除部として機能し、この凸部１４を貫通孔２２ａから離脱する矢印Ｍ方向に押し込んだ状態のまま蓋体２に矢印Ｎで示すように上方へ引き抜く力を加えない限り、蓋体２はボックス本体１から外れ得ないものとなる。その際、貫通孔２２ａ内の凸部１４を押し込むには通常の体格の者の指先よりもさらに細いペン等の部材Ｐを使って押し込むことにより始めて可能となるように、それら貫通孔２２ａ及び凸部１４の寸法が設定してある。
【００２３】
図１〜図３において符合３で示すものは、前記面板部１１ａの矩形凹所１５に取り付けられたマグネット板である。
【００２４】
なお、図８及び図９は、この用箋ボックスＢの拡張機能を示している。すなわち、図８の用箋ボックスＢ１は、前記ボックス本体１に上記とは異なる蓋体１０２を装着したもので、この蓋体１０２は単にボックス本体１の開口１２ａに対して着脱されるだけで、抜け止め部を構成するものではない。舌片１２２は単に弾性片１３及び凸部１４を隠すだけのものである。このように、蓋１０２を蓋２に代替使用するだけで、通常のゴミ箱的な構造の用箋ボックスＢ１として簡単に利用できるようになる。また、図９の用箋ボックスＢ２は、図８の用箋ボックスＢ１に中仕切りのための仕切り板１２４を設けたもので、前述したボックス本体１を構成する箱構成体１１，１２同士の突合せ部には、仕切り板を挿入するための溝１２４ａが形成してある。
【００２５】
以上のように構成される本実施形態の用箋ボックスＢは、ボックス本体１に蓋体２を取り付けた際に抜け止め部Ｚを形成して蓋体２の開成を禁止し、この状態で一部に設けたスリット２３を介してのみ収納部Ｓへの用箋類Ｙの投入を可能にするとともに、前記抜け止め部Ｚに関連づけて設けた解除部たる凸部１４に解除操作力を加えつつ蓋体２を引き抜く操作を行うことによって始めて、蓋体２を開成させ得るようにしたものである。
【００２６】
このように、蓋体２を取り付けた段階では投入口はスリット２３による幅狭な開口のみとなるので、スリット２３からは内容物が殆ど視認されなくなる上に手指を挿入することも困難となり、蓋体２を開けるにしても解除操作を並行して行わなければ収納部Ｓの開成が困難となる。このため、内容物が一見して理解されたり、瞬時に内容物が抜き取られること等を防止して、廃棄すべき用箋類Ｙを一時的に機密状態下に保管し、後でまとめてシュレッダーに掛ける等の利用の形態を可能にする便利なゴミ箱等として実用に供することができる。しかも、錠を用いた場合のように構造や操作が複雑となることもないので、簡易なセキュリティボックスとしての利用価値も有することとなる。このように、利用目的は廃棄書類等に限らず、機密書類を保管、蓄積する用途にも有効に適合し得るものとなる。
【００２７】
そのための具体的構造としては、一端に開口Ａを有するボックス本体１と、前記開口Ａに着脱される蓋体２とを備え、蓋体２側にスリット２３を形成するとともに、抜け止め部Ｚを蓋体２とボックス本体１との間の弾性的な係り合いによって構成しているので、構造簡素でセキュリティ機能を備えた新しいオフィスアイテムとして利用し易いものになる。
【００２８】
また、図６に示すように机の袖やワゴン等の立面を取付場所Ｈとした場合に、ボックス本体１のうち解除部Ｚが存する面板部１１ａ側をその取付場所Ｈに取り付けるようにしているので、解除部Ｚを操作するためには用箋ボックスＢを一旦取付場所Ｈから外さなければならず、瞬時に内容物が抜き取られることをより有効に防止することができる。
【００２９】
さらに、ボックス本体１が、上記のような立面を取付場所Ｈとして利用できる偏平な縦長箱状のものであり、ボックス本体１の上端にスリット２３を有する蓋体２を設けているので、机の下肢空間等に配置して目立ち難い使用状態と、用箋類Ｙを投入し易い使用状態とを有効に両立させることができる。
【００３０】
そして、取付面である面板部１１ａにはマグネット３が設けてあるので、ボックス本体１を立面等の取付場所Ｈに起立状態で接着して適切な使用状態を得ることができ、内容物の廃棄時には取付場所Ｈから引き剥がすことも容易となる。なお、このように脱着容易であっても、用箋ボックスＢそれ自体にセキュリティ機能があるため、内容物を瞬時に抜き取られることがないのは叙述した通りである。
【００３１】
加えて、解除部Ｚが、指先よりも細い部材Ｐで押し込むことによって始めて解除可能な構造をなしているため、手指のみによる一連の動作だけでは解除部Ｚを解除して蓋体２を開けることが困難であり、この点でもセキュリティ機能を高めることができる。
【００３２】
一方、収納機能の観点から検討すると、通常の収納ボックス等であればスリット２３から投入した用箋類Ｙは図７（ａ）に示すように収納部Ｓで丸まるとなどして嵩張り、早期に投入不可となるところ、本実施形態の用箋ボックスＢは、収納部Ｓの底に斜面１６を形成し、導入した用箋類Ｙが同図（ｂ）に示すように斜面１６に沿って落下するように誘導されるので、同図（ｃ）に示すように用箋類Ｙが適正に重なった状態で収納され易くなり、無造作に投入しても収納部Ｓにおいて嵩張ることを防止して、偏平箱状であっても高い収納効率を実現することができる。
【００３３】
その際、スリット２３を斜面の高位置側（図４中矢印Ｘ側）に変位させて設けており、用箋類Ｙを先に投入した用箋類Ｙの上に傾斜させて落とし易くなる上に、そのスリット２３に斜面１６と同じ方向に傾斜するガイド面２３ａを設けているので、投入した用箋類Ｙの下縁ｙ１が先に投入した用箋類Ｙの上縁ｙ２に衝突することが回避され、収納部Ｓでの用箋類Ｙの確実な重合状態を担保することができる。また、ガイド面２３ａに載せ置いて用箋類Ｙを投入できるので、この点でも扱い易いものとなる。
【００３４】
さらにまた、スリット２３が、内側に向かって漸次幅狭となるテーパ形状をなしているので、用箋類Ｙが更に入れ易く、しかもガイド面２３ａのガイド機能を的確に奏させることができる。
【００３５】
なお、各部の具体的な構成は、上述した実施形態のみに限定されるものではなく、本発明の趣旨を逸脱しない範囲で種々変形が可能である。
【図面の簡単な説明】
【００３６】
【図１】本発明の一実施形態に係る用箋ボックスを示す斜視図。
【図２】同分解図。
【図３】同側面図。
【図４】図２におけるＡ−Ａ線に沿った部分拡大断面図。
【図５】図２におけるＢ−Ｂ線に沿った部分拡大断面図。
【図６】同実施形態に係る用箋ボックスの使用例を示す図。
【図７】同実施形態に係る用箋ボックスの作用説明図。
【図８】同用箋ボックスの他の利用の態様を示す図。
【図９】同用箋ボックスの他の利用の態様を示す図。
【符号の説明】
【００３７】
１…ボックス本体
２…蓋体
３…マグネット
２３…スリット
１１ａ１…取付面（面板部）
１２ａ…開口
１４…解除部（凸部）
１６…斜面
Ｓ…収納部
Ｙ…用箋類
Ｚ…抜け止め部
【図１】
2008120593.tif 000003
【図２】
2008120593.tif 000004
【図３】
2008120593.tif 000005
【図４】
2008120593.tif 000006
【図５】
2008120593.tif 000007
【図６】
2008120593.tif 000008
【図７】
2008120593.tif 000009
【図８】
2008120593.tif 000010
【図９】
2008120593.tif 000011